(57)【要約】【課題】簡易な構成を採用しつつ正確な位置決めを容易に行える浴室ユニットを提供する。【解決手段】洗い場床と、洗い場床側の底部に設けられた第１高さ調整機構と洗い場床に対して奥側の底部に設けられた第２高さ調整機構とを有し洗い場床とは別体として且つ離間して設置された浴槽と、浴槽に固定される浴槽固定部と洗い場床における浴槽側の縁部に設けられた立ち上がりリム部に係合する係合部とを有し浴槽と洗い場床とを連結する連結部材とを備えている。【選択図】図１
2008154946.tif 000002
【特許請求の範囲】
【請求項１】
洗い場床と、
前記洗い場床側の底部に設けられた第１高さ調整機構と、前記洗い場床に対して奥側の底部に設けられた第２高さ調整機構とを有し、前記洗い場床とは別体として且つ離間して設置された浴槽と、
前記浴槽に固定される浴槽固定部と、前記洗い場床における前記浴槽側の縁部に設けられた立ち上がりリム部に係合する係合部とを有し、前記浴槽と前記洗い場床とを連結する連結部材と、
を備えたことを特徴とする浴室ユニット。
【請求項２】
前記連結部材の前記浴槽固定部は、前記浴槽における前記洗い場床側の底部に固定されたことを特徴とする請求項１記載の浴室ユニット。
【請求項３】
前記連結部材の前記係合部を、前記洗い場床の前記立ち上がりリム部に対して固定させる取付部材をさらに備えたことを特徴とする請求項１または２に記載の浴室ユニット。
【請求項４】
前記洗い場床の前記立ち上がりリム部に対して、前記連結部材の前記係合部を位置決めする位置決め部が前記立ち上がりリム部に設けられたことを特徴とする請求項１〜３のいずれか１つに記載の浴室ユニット。
【請求項５】
前記連結部材が前記浴槽及び前記洗い場床に連結された状態で、前記連結部材の最低位置は、前記第１高さ調整機構及び前記第２高さ調整機構が載置される建築床面より上方に位置することを特徴とする請求項１〜４のいずれか１つに記載の浴室ユニット。
【請求項６】
前記連結部材は、前記浴槽の排水口と、前記洗い場床の裏側に設けられた排水トラップとを連結する浴槽排水管を、前記浴槽排水管と前記排水トラップとの接続口の高さ以上且つ前記排水口より下方の高さに保持する浴槽排水管保持部を有することを特徴とする請求項１〜５のいずれか１つに記載の浴室ユニット。
【請求項７】
前記浴槽は長辺側の浴槽壁を前記洗い場床側に向けて配設され、
少なくとも２つの前記連結部材が、前記浴槽の長辺方向の両端近傍に設けられたことを特徴とする請求項１〜６のいずれか１つに記載の浴室ユニット。
【発明の詳細な説明】
【技術分野】
【０００１】
本発明は、浴室ユニットに関し、特に浴槽と洗い場床とが別体で構成された浴室ユニットに関する。
【背景技術】
【０００２】
浴槽と洗い場床とが別体で構成された浴室ユニットは、浴槽と洗い場床とが一体成型されているものに比べて、搬入性、施工性、保守性などに優れている。このような別体構造の浴室ユニットにおいて、従来は、浴槽と洗い場床とをそれぞれ設置面上に設置し、浴槽の位置決めをしていたが、浴槽を設置する際に目印なるものがなく、施工者の技術や経験に頼る部分が多く正確な位置決めを行うには、長い施工時間がかかる場合があった。
【０００３】
設置面上に位置決め用のフレームを設置し、そのフレームの上に浴槽を載せ置く構成も提案されている（例えば、特許文献１、２参照）。しかし、そのフレームは浴槽およびその内部に貯留される湯水、さらには入浴者の荷重を支えなければならないため、大きな強度を有するものが必要であり、製造コストが高くなる問題があった。
【特許文献１】特開２００２−２１９０６７号公報
【特許文献２】特開２００５−６５９８０号公報
【発明の開示】
【発明が解決しようとする課題】
【０００４】
本発明は、簡易な構成を採用しつつ正確な位置決めを容易に行える浴室ユニットを提供する。
【課題を解決するための手段】
【０００５】
本発明の一態様によれば、洗い場床と、前記洗い場床側の底部に設けられた第１高さ調整機構と、前記洗い場床に対して奥側の底部に設けられた第２高さ調整機構とを有し、前記洗い場床とは別体として且つ離間して設置された浴槽と、前記浴槽に固定される浴槽固定部と、前記洗い場床における前記浴槽側の縁部に設けられた立ち上がりリム部に係合する係合部とを有し、前記浴槽と前記洗い場床とを連結する連結部材と、を備えたことを特徴とする浴室ユニットが提供される。
【発明の効果】
【０００６】
本発明によれば、簡易な構成を採用しつつ正確な位置決めを容易に行える浴室ユニットが提供される。
【発明を実施するための最良の形態】
【０００７】
以下、図面を参照し、本発明の実施形態について説明する。
【０００８】
図１は、本発明の実施形態に係る浴室ユニットの模式側面図である。  
図２は、同浴室ユニットを裏側から見た模式平面図である。
【０００９】
本実施形態に係る浴室ユニットは、主として、洗い場床１と、浴槽２と、これら洗い場床１と浴槽２とを連結する連結部材３０とを備えている。洗い場床１と浴槽２とは別体として構成され、それぞれ、浴室ユニットの設置現場に搬入され、その現場にて連結部材３０によって位置決めされて連結される。洗い場床１と浴槽２とは、浴室ユニット設置場所の建築床面（スラブ）上に離間して載置され、それら両者は連結部材３０を介して連結され、相互の分離や位置ずれが防止されている。
【００１０】
洗い場床１は、略四角形状の平面形状を有し、その四方の縁部に水切り壁として機能する立ち上がりリム部が設けられた浅底の器状（パン状）に形成され、浴室外部に湯水を漏出させない防水性を有する。洗い場床１の裏面における四隅近傍および中央部には、支持脚１２が設けられ、その支持脚１２の先端部分には、回転させることで上下動するボルト構造の高さ調整機構１３が設けられている。
【００１１】
浴槽２は、略四角形もしくは長円形状の平面形状を有し、一対の長辺側浴槽壁のうちの一方の長辺側浴槽壁４を、洗い場床１側向けて洗い場床１の隣に設置される。
【００１２】
浴槽２の底部における四隅近傍には支持脚２１、２３が設けられ、そのうち洗い場床１側に設けられた２つの支持脚２１のそれぞれの先端部分には、回転させることで高さ調節可能なボルト構造を有する第１高さ調整機構２２が設けられている。洗い場床１に対して奥側の底部に設けられた２つの支持脚２３のそれぞれの先端部分には、回転させることで上下動するボルト構造の第２高さ調整機構２４が設けられている。
【００１３】
洗い場床１の表面側における浴槽２との境界部近傍には排水ピットが形成され、その裏側には図２に表す排水トラップ５１が設けられている。浴槽２の底面には排水口５２が設けられ、その排水口５２は、浴槽２及び洗い場床１の裏側に配設された浴槽排水管５５を介して排水トラップ５１の接続口５４に連結されている。排水トラップ５１において、浴槽排水管５５との接続口５４に対向する部分には、浴室外へと続く排水管５３が接続されている。
【００１４】
次に、連結部材３０について説明する。  
図６は、連結部材３０の斜視図である。
【００１５】
連結部材３０は、例えば樹脂材料からなり、以下に説明する各部分が一体に設けられ、全体として略「Ｊ」字状を呈する。連結部材３０は、洗い場床１における浴槽２側の縁部に設けられた立ち上がりリム部１１の上端に係合する係合部３１と、この係合部３１から下方に垂下して延在する長尺部３２と、浴槽２における洗い場床１側の底部に固定される浴槽固定部３５と、浴槽固定部３５から下方に垂下して延在し、長尺部３２よりも短い短尺部３４と、短尺部３４の下端と長尺部３２の下端との間をつなぐように横方向に延在して設けられた浴槽排水管保持部３３とを有する。
【００１６】
係合部３１は、長尺部３２の上端から、長尺部３２の外側（短尺部３４と対向する内側の反対側）に向けて突出して設けられている。係合部３１は、長尺部３２に対して略直角に設けられている。長尺部３２の内側及び係合部３１の上面には、補強リブ３７、３８が設けられている。
【００１７】
浴槽固定部３５は、短尺部３４の上端から、短尺部３４の外側（長尺部３２と対向する内側の反対側）に向けて突出して設けられている。浴槽固定部３５は、短尺部３４に対して略直角に設けられている。浴槽固定部３５には、浴槽２の底部に対してねじ込まれるねじが通される貫通孔３６が形成されている。
【００１８】
係合部３１は、浴槽排水管保持部３３を基準にして、浴槽固定部３５よりも高い位置に設けられている。係合部３１には、後述する取付部材６０に対してねじ込まれるねじが通される貫通孔３９が形成されている。また、係合部３１の下面における長尺部３２寄りの部分には、下方に突出し、長尺部３２に対して略平行に延在する位置決めリブ４０が設けられている。
【００１９】
さらに、本実施形態に係る浴室ユニットは、連結部材３０を、洗い場床１の立ち上がりリム部１１に対して固定させる取付部材６０を備えている。
【００２０】
図７は、取付部材６０の斜視図である。  
図８は、図７とは反対側から見た取付部材６０の斜視図である。
【００２１】
取付部材６０は、例えば金属材料からなり、以下に説明する各部分が一体に設けられている。取付部材６０は、互いに離間して設けられた一対の上面部６１と、各々の上面部６１に対して略直角に設けられた一対の側面部６２と、各々の側面部６２の下端に設けられ、上面部６１と同じ方向に突出しているフック部６３と、一対の上面部６１の間に凹状にくぼんで設けられた連結部材取付部６４と、連結部材取付部６４における側面部６２側の縁部から下方に垂下し且つ側面部６２から離間する方向に屈曲したバスエプロン取付部６５とを有する。連結部材取付部６４にはねじ孔６６が形成されている。バスエプロン取付部６５において、連結部材取付部６４に対向する部分には、ねじ孔６７が形成されている。
【００２２】
本実施形態に係る浴室ユニットは、以下に説明するようにして組み立てられる。
【００２３】
まず、浴室ユニットが設置される建築床面１００上に、支持脚１２を介して洗い場床１を設置し、支持脚１２の高さ調整機構（ボルト）１３を回して高さを調整して、洗い場床１の床面が所望の高さで水平になるように高さ調整が行われる。
【００２４】
次に、洗い場床１の隣に浴槽２を設置する。このとき、浴槽２における洗い場床１側の底部には、予め連結部材３０の浴槽固定部３５が固定されており、その連結部材３０の係合部３１を洗い場床１における浴槽２側の縁部に設けられた立ち上がりリム部１１の上端に引っ掛けるようにして浴槽２を設置する。
【００２５】
本実施形態では、図２に表すように、例えば２つの連結部材３０が、浴槽２の長辺方向の両端近傍に設けられる。また、各々の連結部材３０の浴槽固定部３５は、第１高さ調整機構２２よりも長辺方向に関して内側の浴槽２底部に固定される。
【００２６】
図３は、本実施形態に係る浴室ユニットにおいて連結部材３０が取り付けられた部分の斜視図である。  
図４は、連結部材３０が取り付けられた部分の断面図である。  
図５は、連結部材３０と、洗い場床１の立ち上がりリム部１１との係合部分の拡大平面図である。
【００２７】
浴槽２の底部において、連結部材３０の浴槽固定部３５が固定される支持脚２１近傍の底部には、図４に表すように、下方に膨出した取付部７２が設けられ、その取付部７２の内部には、例えば２つのナット８１が設けられている。
【００２８】
連結部材３０の浴槽固定部３５の上面は、その貫通孔３６（図６）に位置をナット８１に一致させた状態で取付部７２の下面に重ねられ、その状態で浴槽固定部３５の裏面側から貫通孔３６を通してナット８１にねじ７３がねじ込まれる。これにより、連結部材３０の浴槽固定部３５が、浴槽２の底部に対して固定される。
【００２９】
連結部材３０の浴槽固定部３５が浴槽２底部に固定された状態で、連結部材３０の浴槽排水管保持部３３は洗い場床１側に延在し、長尺部３２はその浴槽排水管保持部３３における洗い場床１側の端部から上方に立ち上がるようにして延在している。長尺部３２の上端に設けられた係合部３１は、図７、８を参照して前述した取付部材６０を介して、洗い場床１の立ち上がりリム部１１の上端に取り付けられる。
【００３０】
洗い場床１における浴槽２側の立ち上がりリム部１１の上端には、上から凹状に切り欠かれた位置決め部８（図５）が形成されている。取付部材６０は、２つの連結部材３０の取り付け位置に応じて２箇所に取り付けられるが、その１箇所あたり、位置決め部８は、図５に表すように、立ち上がりリム部１１上端の延在方向に離間して２つ設けられている。
【００３１】
その位置決め部８に対して、取付部材６０の一対の上面部６１がそれぞれ上から嵌め込まれる。一対の上面部６１はそれぞれ、側面部６２との境界近傍の部分を凹状に切り欠かれた位置決め部８内に位置させている。これにより、取付部材６０の横方向（立ち上がりリム部１１上端の延在方向）の移動が規制される。取付部材６０の側面部６２は、立ち上がりリム部１１の上端近傍の外側（浴槽２側に向く）側面に対して接して対向する。取付部材６０の連結部材取付部６４及びバスエプロン取付部６５は、立ち上がりリム部１１の内側側面に対して離間して、立ち上がりリム部１１の内側に位置する。
【００３２】
取付部材６０の連結部材取付部６４に形成されたねじ孔６６に対して、連結部材３０の係合部３１に形成された貫通孔３９を一致させて、連結部材３０の係合部３１が連結部材取付部６４の上に載せられる。連結部材３０の係合部３１において、下方に突出して設けられた位置決めリブ４０と長尺部３２との間の裏面が、立ち上がりリム部１１の上端に当接する。立ち上がりリム部１１の外側側面に対向する長尺部３２と、立ち上がりリム部１１の内側側面に対向する位置決めリブ４０とによって、係合部３１の図４において横方向の移動が規制される。また、凹状にくぼんで設けられた連結部材取付部６４の側壁部分によって、係合部３１の図４において紙面を貫く方向の移動が規制される。
【００３３】
連結部材３０の係合部３１を、取付部材６０の連結部材取付部６４に載せた状態で図４に表すように、係合部３１の上方から貫通孔３９を通して、ねじ７４がねじ孔６６にねじ込まれる。これにより、連結部材３０の係合部３１と、取付部材６０の連結部材取付部６４とが締結される。
【００３４】
洗い場床１の立ち上がりリム部１１の上端近傍部分は、図３、４に表すように浴槽２側に出っ張っており、その出っ張り部分の下部には段部１１ａが設けられている。前述したように、連結部材３０の係合部３１と、取付部材６０の連結部材取付部６４とが上下方向に重ねられて締結されることで、取付部材６０の側面部６２の下端に設けられたフック部６３が、立ち上がりリム部１１の段部１１ａに引っ掛けられる。
【００３５】
これにより、図４に表すように、立ち上がりリム部１１の上端に当接する連結部材３０の係合部３１の裏面と、立ち上がりリム部１１の段部１１ａに当接する取付部材６０のフック部６３とによって、立ち上がりリム部１１が上下方向に挟み込まれる。結果として、ねじ７４を介して相互に締結された連結部材３０及び取付部材６０が、立ち上がりリム部１１に対して固定される。
【００３６】
浴槽２の設置の際、浴槽２における洗い場床１側に設けられた支持脚２１の第１高さ調整機構２２は、図１に表すように、建築床面１００上から浮く高さに設定しておき、連結部材３０の係合部３１を前述したように洗い場床１の立ち上がりリム部１１上端に係合させると共に、浴槽２における洗い場床１に対して奥側に設けられた支持脚２３の第２高さ調整機構２４を建築床面１００上に着地させる。その状態で、第２高さ調整機構２４の高さを調整して、浴槽２が水平になるようにする。
【００３７】
浴槽２において洗い場床１側の部分は、その底部に固定された連結部材３０の係合部３１が、既に所望の高さに設置された洗い場床１の立ち上がりリム部１１上端に引っ掛けられるように係合することで、所望の高さに設定され、洗い場床１側の第１調整機構２２は、単に土台面１００に着地させるだけよい。
【００３８】
すなわち、洗い場床１に対して奥側の第２高さ調整機構２４は、浴槽２の支持脚として機能すると共に、浴槽２における洗い場床１から遠い部分を所望の高さに調整する機能を有するが、洗い場床１側の第１高さ調整機構２２は、単に浴槽２の支持脚としてのみ機能する。
【００３９】
連結部材３０の係合部３１を立ち上がりリム部１１上端に係合させる際に、係合部３１が立ち上がりリム部１１上端に接するより先に第１高さ調整機構２２が建築床面１００に接してつっかえにならないように第１高さ調整機構２２を建築床面１００から浮かせる必要があり、またその浮かせた状態では浴槽２を支えることができないので、第２の高さ調整機構２４の高さ調整完了後、第１の高さ調整機構２２を建築床面１００上に着地させる必要がある。したがって、第１高さ調整機構２２も上下動自在に構成して建築床面１００に対する高さを変えることができるようにする必要がある。なお、第１高さ調整機構２２は、浴槽２底部に固定された連結部材３０との干渉を防ぐ観点から、所定高さ以上には上げられないようにすることが望ましい。
【００４０】
本実施形態によれば、所望の高さ及び位置に設置された洗い場床１における立ち上がりリム部１１に対して連結部材３０を介して浴槽２を連結するため、正確且つ容易に浴槽２の位置決め設置を行える。
【００４１】
従来、浴槽を建築床面に対して水平にする作業は、例えば浴槽底部の四隅近傍に設けられた４本の支持脚ボルトを少しずつ調整しながら行う必要があり、作業者にとって多大な施工負荷となっていた。本実施形態では、前述したように、浴槽２を建築床面１００に対して水平にする際には、洗い場床１から遠い側の２本の第２高さ調整機構２４の高さ調整を行うだけで済み、手間及び時間が大幅に軽減する。
【００４２】
浴槽２における洗い場床１側の高さは、予め浴槽２の底部に一端側の浴槽固定部３５が固定された連結部材３０の他端側の係合部３１を、既に高さ調整済みの洗い場床１の立ち上がりリム部１１上端に引っ掛けるように係合させることで所望の高さにできる。
【００４３】
また、２つの連結部材３０が浴槽長辺方向の両端近傍に設けられ、それら２つの連結部材３０の各々の係合部３１が同じ高さの立ち上がりリム部１１上端に引っ掛けられるように係合するため、浴槽長辺方向に見た水平出しもなされる。２つの連結部材３０は、浴槽長辺方向の両端近傍に設ければ、浴槽長辺方向の両端近傍が同じ高さになり、自然とそれら両端の間の部分も両端近傍と同じ高さになり、したがって、精度良く浴槽長辺方向の水平出しを行える。
【００４４】
本実施形態によれば、作業者が、連結部材３０の係合部３１を洗い場床１の立ち上がりリム部１１上端に引っ掛けるように係合させるだけで、浴槽２における洗い場床１側の高さ設定及び浴槽長辺方向に見た水平出しが自然となされる。連結部材３０の係合部３１を洗い場床１の立ち上がりリム部１１上端に係合させるにあたっては、前述したように、立ち上がりリム部１１上端に形成された位置決め部８（図５）に対して位置決めされた取付部材６０の凹状にくぼんだ連結部材取付部６４に、連結部材３０の係合部３１を嵌め入れてねじ７４で締結するだけでよい。したがって、本実施形態によれば、作業者の技量にかかわらず、ばらつきのない高い施工品質を実現でき、且つ施工時間を短縮できる。
【００４５】
また、本実施形態では、浴槽２の位置決めのために、浴槽２の荷重に耐えうる強度で作製する必要のある位置決めフレームを使わなくて済み、安価な浴室ユニットを提供できる。
【００４６】
取付部材６０のバスエプロン取付部６５に形成されたねじ孔６７（図８）には、図４に表すように、バスエプロン７１の下端を貫通したねじ７５が下方からねじ込まれる。これにより、バスエプロン７１の下端部が、取付部材６０のバスエプロン取付部６５に締結される。
【００４７】
連結部材３０及びバスエプロン７１は、それぞれ、ねじ７４、７５によって取付部材６０に締結されることで、洗い場床１の立ち上がりリム部１１に対して固定される。この構造において、洗い場床１の立ち上がりリム部１１には孔があかないため、水切り壁として機能する立ち上がりリム部１１の防水性を損ねない。
【００４８】
また、本実施形態では、連結部材３０が浴槽２底部及び洗い場床１の立ち上がりリム部１１に連結された状態で、連結部材３０の最低位置（本実施形態では例えば浴槽排水管保持部３３の底面）は、建築床面１００より上方に浮いた位置に位置するため、連結部材３０を建築床面１００に対して干渉させずにその係合部３１を立ち上がりリム部１１上端に確実に係合させることができる。一般に、洗い場床１の裏面側に設けられる排水トラップ５１は、洗い場床１を建築床面１００上に設置した状態で建築床面１００に接触せず、したがって、連結部材３０の最低位置が、排水トラップ５１の底面と同じ高さかそれ以上高い位置になるようにすれば、連結部材３０と建築床面１００との接触（干渉）を防ぐことができる。つまり、排水トラップ５１最下部から立ち上がりリム部１１上端までの鉛直方向の長さより、長尺部３２の長さが小さければ良い。さらに浴槽排水管５５における排水勾配のことを考慮すると、浴槽２の排水口５２から立ち上がりリム部１１上端までの鉛直方向の長さより長尺部３２の長さが大きければ良い。
【００４９】
２つの連結部材３０のうち一方の連結部材３０の浴槽排水管保持部３３の上には、浴槽排水管５５の一部分が載せられ保持される。連結部材３０の浴槽排水管保持部３３を、建築床面１００近くの比較的低い位置に位置させることで、浴槽排水管５５の配管作業スペースを広くして作業性を向上させることができる。
【００５０】
浴槽排水管５５の一部は蛇腹状のフレキシブルチューブとして構成され、浴槽排水管５５は、図２に表すように、Ｕ字状に湾曲して、浴槽排水口５２と排水トラップ５１との間に接続されている。
【００５１】
浴槽排水口５２は、浴槽排水管５５と排水トラップ５１との接続口５４よりも高い位置に位置しているため、浴槽２内に溜められた湯水を浴槽排水口５２および浴槽排水管５５を介して排水トラップ５１に排水することができる。
【００５２】
また、連結部材３０における浴槽排水管保持部３３の上面は、浴槽排水口５２より低い位置であって、且つ浴槽排水管５５と排水トラップ５１との接続口５４の底面の高さよりも高い位置に位置している。したがって、その浴槽排水管保持部３３の上に保持される浴槽排水管５５は、接続口５４と同じかそれより高い位置（浴槽排水口５２よりは低い位置）に保持され、特に配管作業性を向上させるべくフレキシブルチューブを用いた場合でも下方に垂れ下がらずに、接続口５４から見て下り勾配となる逆排水勾配が浴槽排水管５５に形成されない。これにより、浴槽排水管５５内にごみや残水が溜まるのを防ぐことができる。
【００５３】
連結部材３０の浴槽固定部３５を浴槽２に対してねじ止め固定する場合には、浴槽２の防水性及び確実な締結性を確保する観点から、図４に表すように、浴槽２底面から膨出させた取付部７２を設け、その膨出部７２の内部にナット８１を埋設して、そのナット８１に対してねじ７３を螺着させる構造が望ましい。
【００５４】
連結部材３０の浴槽固定部３５は、浴槽２において洗い場床１側の浴槽壁４に固定させてもよい。ただし、一般に、型抜きの関係上、浴槽２の側面に膨出した部分を一体成形にて設けるのは難しいため、生産効率上、浴槽２の底部に膨出部７２を設けるのが望ましく、したがって浴槽２の底部に連結部材３０の浴槽固定部３５を固定させる形態が望ましい。
【図面の簡単な説明】
【００５５】
【図１】本発明の実施形態に係る浴室ユニットの模式側面図である。
【図２】同浴室ユニットを裏側から見た模式平面図である。
【図３】同浴室ユニットにおいて連結部材が取り付けられた部分の斜視図である。
【図４】同浴室ユニットにおいて連結部材が取り付けられた部分の断面図である。
【図５】同浴室ユニットにおいて連結部材と洗い場床の立ち上がりリム部との係合部分の拡大平面図である。
【図６】同浴室ユニットにおける連結部材の斜視図である。
【図７】同浴室ユニットにおける取付部材の斜視図である。
【図８】図７とは反対側から見た取付部材の斜視図である。
【符号の説明】
【００５６】
１…洗い場床、２…浴槽、８…位置決め部、１１…立ち上がりリム部、２２…第１高さ調整機構、２４…第２高さ調整機構、３０…連結部材、３１…係合部、３３…浴槽排水管保持部、３５…浴槽固定部、５１…排水トラップ、５５…浴槽排水管、６０…取付部材、７１…バスエプロン
【図１】
2008154946.tif 000003
【図２】
2008154946.tif 000004
【図３】
2008154946.tif 000005
【図４】
2008154946.tif 000006
【図５】
2008154946.tif 000007
【図６】
2008154946.tif 000008
【図７】
2008154946.tif 000009
【図８】
2008154946.tif 000010